【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
第１ハウジングと、前記第１ハウジングの上面に配置され、中央に通孔が形成される第２ハウジングと、を含むハウジングユニット；
前記第１ハウジングから既設定の距離で離隔されるアウターブレードと、前記アウターブレードの内側に位置するボビンと、前記アウターブレードに配置される光軸方向に前記ボビンの動きを支持するスプリング部材と、を含むホルダーモジュール；
前記ハウジングユニットと前記ホルダーモジュールに相互離隔されるように配置される複数の第１コイル及び複数のマグネット；
前記ボビンの外周に配置され、前記複数のマグネットと相互作用する第２コイル；
前記第１ハウジングから既設定の距離で離隔されて、前記第１コイル及び前記マグネットの相互作用によって光軸に垂直な方向への前記ホルダーモジュールの動きを支持し、前記第２コイルに電流を提供するために、前記スプリング部材を介して前記第２コイルに電気的に連結されるワイヤー；及び
前記ワイヤーの一部に配置され、接着物質を含む緩衝部；
を含むことを特徴とするＯＩＳ（手振れ補正）駆動ユニット。
【請求項２】
前記緩衝部は前記ワイヤーの揺れや振動を緩化するように構成されたことを特徴とする請求項１に記載のＯＩＳ駆動ユニット。
【請求項３】
前記緩衝部は前記ワイヤーに加えられた衝撃や荷重を吸収するように構成されたことを特徴とする請求項２に記載のＯＩＳ駆動ユニット。
【請求項４】
前記緩衝部は前記ワイヤーをホルダーモジュールに対し弾性的に支持することを特徴とする請求項１に記載のＯＩＳ駆動ユニット。
【請求項５】
前記緩衝部は前記ワイヤーをハウジングユニットに対して弾性的に支持することを特徴とする請求項１に記載のＯＩＳ駆動ユニット。
【請求項６】
前記接着物質は前記ワイヤーの一端部に配置され、前記ワイヤーを支持することを特徴とする請求項１に記載のＯＩＳ駆動ユニット。
【請求項７】
前記接着物質は前記ワイヤーを前記ハウジングユニットに連結する連結部に隣接して位置することを特徴とする請求項１に記載のＯＩＳ駆動ユニット。
【請求項８】
前記接着物質は前記ワイヤーの他端部より前記ワイヤーの一端部にさらに近く配置されることを特徴とする請求項１に記載のＯＩＳ駆動ユニット。
【請求項９】
前記ワイヤーは接着物質により電気的に絶縁されることを特徴とする請求項１に記載のＯＩＳ駆動ユニット。
【請求項１０】
前記ワイヤーは接着物質によりハウジングユニットに連結されることを特徴とする請求項１に記載のＯＩＳ駆動ユニット。
【請求項１１】
前記ワイヤーは前記ホルダーモジュールの側面から離隔されたことを特徴とする請求項１に記載のＯＩＳ駆動ユニット。
【請求項１２】
前記マグネットはハウジングユニット上に配列され、前記第１コイルはアウターブレード上に配列されたことを特徴とする請求項１に記載のＯＩＳ駆動ユニット。
【請求項１３】
前記マグネットと前記第１コイルは離隔して対向配列されたことを特徴とする請求項１に記載のＯＩＳ駆動ユニット。
【請求項１４】
前記ワイヤーは、複数のワイヤーを含み、
前記複数のワイヤーの少なくとも２個のワイヤーは、前記第２コイルに電気的に連結されることを特徴とする請求項１に記載のＯＩＳ駆動ユニット。
【請求項１５】
前記ワイヤーは、複数のワイヤーを含み、
前記複数のワイヤーは各々同じ長さを有することを特徴とする請求項１に記載のＯＩＳ駆動ユニット。
【請求項１６】
前記ワイヤーは、金属材料、及び１〜１００μｍの厚さで形成されることを特徴とする請求項１に記載のＯＩＳ駆動ユニット。
【請求項１７】
前記接着物質は接着により弾性支持する材料を含むことを特徴とする請求項１に記載のＯＩＳ駆動ユニット。
【請求項１８】
前記ワイヤーの両端部のうち少なくとも一つは表面処理ユニットを含むことを特徴とする請求項１に記載のＯＩＳ駆動ユニット。
【請求項１９】
前記緩衝部は、前記アウターブレードと隣接して位置することを特徴とする請求項１に記載のＯＩＳ駆動ユニット。
【請求項２０】
前記第１ハウジングは、ベースであることを特徴とする請求項１に記載のＯＩＳ駆動ユニット。
【請求項２１】
前記第１ハウジングから突出するように形成されるフックをさらに含むことを特徴とする請求項１に記載のＯＩＳ駆動ユニット。
【請求項２２】
前記第２コイル及び前記第１コイルに電流を供給するための第１ＰＣＢをさらに含むことを特徴とする請求項１に記載のＯＩＳ駆動ユニット。
【請求項２３】
前記第１ＰＣＢは、前記電流を受信する端子を含み、
前記ワイヤーは、前記第１ＰＣＢに電気的に連結されることを特徴とする請求項２２に記載のＯＩＳ駆動ユニット。
【請求項２４】
前記ワイヤーは前記第１ＰＣＢに結合されたことを特徴とする請求項２３に記載のＯＩＳ駆動ユニット。
【請求項２５】
前記ホルダーモジュールは、前記ワイヤーの一端に結合され、前記ハウジングユニットは、前記ワイヤーの他端に結合されることを特徴とする請求項６に記載のＯＩＳ駆動ユニット。
【請求項２６】
前記第１コイルは各々既設定された距離で離隔された４つのコイルを含むことを特徴とする請求項１に記載のＯＩＳ駆動ユニット。
【請求項２７】
第１ハウジングと、前記第１ハウジングの上面に配置され、中央に通孔が形成される第２ハウジングと、を含むハウジングユニット；
既設定の距離で前記第１ハウジングから離隔されるアウターブレードと、前記アウターブレードの内側に位置するボビンと、前記アウターブレードに配置され、垂直方向に前記ボビンの動きを支持するスプリング部材と、を含むホルダーモジュール；
前記ハウジングユニットと前記ホルダーモジュールに相互離隔されるように配置される複数の第１コイル及び複数のマグネット；
前記ボビンの外周に配置され、前記複数のマグネットと相互作用する第２コイル；
前記第１ハウジングから既設定の距離で離隔されて、前記第１コイル及び前記マグネットの相互作用によって水平方向への前記ホルダーモジュールの動きを支持する少なくとも６個のワイヤー；及び
前記ワイヤーと前記ハウジングユニットと前記ホルダーモジュールのいずれか一つの間に配置された接着物質； を含むことを特徴とするＯＩＳ（手振れ補正）駆動ユニット。
【請求項２８】
前記接着物質は前記ワイヤーの一端部に近く配置されたことを特徴とする請求項２７に記載のＯＩＳ駆動ユニット。
【請求項２９】
前記接着物質は前記ワイヤーを前記ハウジングユニットに連結する連結部に隣接して位置することを特徴とする請求項２８に記載のＯＩＳ駆動ユニット。
【請求項３０】
前記６つのワイヤーのうち、２つのワイヤーはスプリング部材を媒介して第２コイルに電気的に連結されたことを特徴とする請求項２７に記載のＯＩＳ駆動ユニット。
【請求項３１】
イメージセンサー、レンズ、及びＯＩＳ駆動ユニットを含み、
前記ＯＩＳ駆動ユニットは、
第１ハウジングと、前記第１ハウジングの上面に配置され、中央に通孔が形成される第２ハウジングと、第１ＰＣＢと、を含むハウジングユニット；
前記第１ハウジングから上側に既設定の距離で離隔されるアウターブレードと、前記アウターブレードの内側に位置するボビンと、前記アウターブレードに配置される光軸方向に前記ボビンの動きを支持するスプリング部材と、を含むホルダーモジュール；
前記ハウジングユニットと前記ホルダーモジュールに相互離隔されるように配置される複数の第１コイル及び複数のマグネット；
前記ボビンの外周に配置され、前記複数のマグネットと相互作用する第２コイル；
前記第１ハウジングから既設定の距離で離隔されて、前記第１コイル及び前記マグネットの相互作用によって光軸に垂直な方向への前記ホルダーモジュールの動きを支持し、前記第２コイルに電流を提供するために、前記スプリング部材を介して前記第２コイルに電気的に連結されるワイヤー；及び
前記ワイヤーの一端部に近く配置され、接着物質を含む緩衝部；を含み、
前記第１ＰＣＢは、前記第２コイル及び前記第１コイルに電流を供給し、
前記レンズは、前記ボビンに結合されたことを特徴とするカメラモジュール。
【手続補正２】
【補正対象書類名】明細書
【補正対象項目名】発明の名称
【補正方法】変更
【補正の内容】
【発明の名称】カメラモジュール及びＯＩＳ（手振れ補正）駆動ユニット
【手続補正３】
【補正対象書類名】明細書
【補正対象項目名】０００１
【補正方法】変更
【補正の内容】
【０００１】
本発明は、カメラモジュール及びＯＩＳ（手振れ補正）駆動ユニットに関するものである。